(57)【要約】【課題】複雑な構造にしなくても、所定の深さ（例えば深さ９ｍ前後）で水面が変化する井戸等に使用可能な電動ポンプを提供する。【解決手段】ポンプケーシング６を吊り下げるための第１固定具９と、モータ２を吊り下げるための第２固定具１０とを備え、第１固定具９は第１固定部９ｂおよび第１リング部９ａを有し、第２固定具１０は第２固定部１０ｂおよび第２リング部１０ａを有し、第１固定部９ｂがポンプケーシング６に固定されることにより第１リング部９ａはポンプケーシング６に接続され、第２固定部１０ｂがモータフレーム３に固定されることにより第２リング部１０ａはモータフレーム３に接続される電動ポンプ１を提供する。これにより、吊り下げロープ２９等を第１リング部９ａおよび第２リング部１０ａに通すことで、吊り下げロープ２９等を介して電動ポンプ１を井戸２８の中の水面３０の上方に設置することができる。【選択図】図１
2019163715.tif 000002
【特許請求の範囲】
【請求項１】
ステータ、モータフレームおよび回転軸を有するモータと、
前記回転軸に接続されたインペラと、
前記インペラを収納するポンプケーシングと、
前記ポンプケーシングを吊り下げるための第１固定具と、
前記モータを吊り下げるための第２固定具とを備え、
前記モータフレームは前記ステータを収納し、
前記第１固定具は、第１固定部および第１リング部を有し、
前記第２固定具は、第２固定部および第２リング部を有し、
前記第１固定部が前記ポンプケーシングに固定されることにより、前記第１リング部は前記ポンプケーシングに接続され、
前記第２固定部が前記モータフレームに固定されることにより、前記第２リング部は前記モータフレームに接続されることを特徴とする電動ポンプ。
【請求項２】
前記ポンプケーシングは、吸込口、吸込み水路部、インペラ収納部、気液分離部および吐出口を含み、
前記インペラが回転することにより、前記吸込口から吸い込まれた液体は、吸込み水路室、インペラ収納空間、気液分離室を順に通過した後に前記吐出口から吐き出され、
前記吸込み水路部は、前記吸込み水路室を形成し、
前記インペラ収納部は、前記インペラが収納される前記インペラ収納空間を形成し、
前記気液分離部は、前記気液分離室を形成し、
前記第１固定部は、前記気液分離部の外壁に固定されることを特徴とする請求項１に記載の電動ポンプ。
【請求項３】
前記第２固定部は、前記モータフレームの上部に固定されることを特徴とする請求項１または２に記載の電動ポンプ。
【請求項４】
前記第１リング部および前記第２リング部は、前記回転軸を通る鉛直平面上に配置されることを特徴とする請求項１〜３の何れか１項に記載の電動ポンプ。
【請求項５】
前記第１リング部と前記回転軸との距離は、前記第２リング部と前記回転軸との距離と同じであることを特徴とする請求項１〜４の何れか１項に記載の電動ポンプ。
【請求項６】
前記モータの上方に設けられたコンデンサと、
前記コンデンサを覆う端子カバーとを備え、
前記第１リング部の上部は、前記ポンプケーシングの最上部よりも上、且つ、前記端子カバーの最上部よりも上に配置され、
前記第２リング部の上部は、前記端子カバーの最上部よりも上に配置されることを特徴とする請求項１〜５の何れか１項に記載の電動ポンプ。
【請求項７】
前記電動ポンプは自吸能力を有する自吸式電動ポンプであることを特徴とする請求項１〜６の何れか１項に記載の電動ポンプ。
【発明の詳細な説明】
【技術分野】
【０００１】
本発明は、電動ポンプに関するものである。
【背景技術】
【０００２】
従来、この種の電動ポンプは、地上設置されて使用されるものが知られている（例えば、特許文献１参照）。
【０００３】
以下、その電動ポンプについて図６を参照しながら説明する。
【０００４】
図６に示すように、電動ポンプ１０１は、モータ１０２、ポンプケーシング１０６、インペラ１０５等で構成されている。電動ポンプ１０１は、ポンプ固定脚１０３ａで地上に設置され、プリミングプラグ１１３から注水でポンプケーシング１０６内を呼び水で満たし、モータ１０２を動作させてインペラ１０５を回転させることにより、例えば井戸など設置面より下にある水面から水を吸い上げて地上へ水を供給する。
【０００５】
また、この種の電動ポンプには水に浸して使用しているものもある（例えば、特許文献２参照）。
【０００６】
以下、その電動ポンプについて図７を参照しながら説明する。
【０００７】
図７に示すように、電動ポンプ２０１は井戸２８の水面３０より下の水中に設置され、電動ポンプ２０１周辺の水を押し上げて地上へ水を供給する。
【先行技術文献】
【特許文献】
【０００８】
【特許文献１】特開２００７−３１５２１６号公報
【特許文献２】特開２００２−３５６８８１号公報
【発明の概要】
【発明が解決しようとする課題】
【０００９】
特許文献１のような従来の電動ポンプにおいては、地上設置されるため吸い上げることが可能な井戸の深さが概ね地上設置面から９ｍまでであり、深さ９ｍ前後で水面が変化する井戸の場合、水面の変化により水が供給できなくなる可能性があるという課題を有していた。
【００１０】
また、特許文献２のような従来の電動ポンプにおいては、水中設置されるため構成が複雑になり、価格が高くなるという課題を有していた。
【００１１】
そこで本発明は、上記従来の課題を解決するものであり、複雑な構造にしなくても、所定の深さ（例えば深さ９ｍ前後）で水面が変化する井戸等に使用可能な電動ポンプを提供することを目的とする。
【課題を解決するための手段】
【００１２】
そして、この目的を達成するために、本発明に係る電動ポンプは、水面より上方において吊り下げるための固定具を持つ構成としたものであり、これにより所期の目的を達成するものである。
【発明の効果】
【００１３】
本発明によれば、複雑な構造にしなくても、所定の深さで水面が変化する井戸等に使用可能な電動ポンプを得ることができる。
【図面の簡単な説明】
【００１４】
【図１】本発明の実施の形態１の電動ポンプを示す一部断面を含む斜視図
【図２】同電動ポンプの別方向の斜視図
【図３】同電動ポンプの側断面図
【図４】同ポンプケーシングのＡ−Ａ断面図
【図５】同電動ポンプの施工状態を示す概略図
【図６】従来の電動ポンプを示す断面図
【図７】従来の他の電動ポンプの施工状態を示す概略図
【発明を実施するための形態】
【００１５】
本発明の一態様に係る電動ポンプは、ポンプケーシングを吊り下げるための第１固定具と、モータを吊り下げるための第２固定具を備え、第１固定具および第２固定具はそれぞれリング部を有する。
【００１６】
この構成によれば、これらのリング部にロープ等を通すことで、電動ポンプを井戸内部の水面上方（空中）に設置することができる。このため、吸上げ可能な位置に電動ポンプを設置することができ、水を供給できる。このように、複雑な構造にしなくても、所定の深さ（例えば深さ９ｍ前後）で水面が変化する井戸等に使用可能な電動ポンプを得ることができる。
【００１７】
以下、本発明の実施の形態について図面を参照しながら説明する。
【００１８】
（実施の形態１）
図１、図２、図３に示すように、電動ポンプ１はモータ２とポンプケーシング６とファンカバー１２を備えている。
【００１９】
モータ２は、モータフレーム３と回転軸４を備え、回転軸４の一端はモータフレーム３から突出している。
【００２０】
モータフレーム３は、地上に設置される際に固定するための固定脚３ａを有する。
【００２１】
図３に示すようにモータフレーム３の内部には、ステータパック１５とコイル１６で構成されるステータ１４を備える。
【００２２】
ステータ１４の内側には軸受１９を介して回転自在に保持されたロータパック１８と回転軸４で構成されるロータ１７を備える。
【００２３】
モータフレーム３の頂部にコンデンサ２３を備え、コンデンサ２３とコイル１６は通電線を通じて接続されている。また、コンデンサ２３は端子カバー１１によって覆われており、端子カバー１１はモータフレーム３に固定されている。
【００２４】
ポンプケーシング６はモータフレーム３の回転軸４突出面に固定される。
【００２５】
回転軸４はポンプケーシング６の中に挿し込まれて、回転軸４の端部にインペラ５が固定される。
【００２６】
インペラ５はケーシングカバー７により覆われる。
【００２７】
インペラ５が固定されている回転軸４の一端とは反対側において、モータフレーム３から突出している回転軸４の他端には冷却ファン２２が固定される。冷却ファン２２をファンカバー１２が覆い、ファンカバー１２はモータフレーム３に固定されている。
【００２８】
コイル１６とコンデンサ２３へ通電することにより回転軸４が回転し、同時に回転軸４に固定されたインペラ５と冷却ファン２２が回転する。
【００２９】
ポンプケーシング６にはジョイント８が接続される。
【００３０】
ポンプケーシング６を吊り下げるための第１固定具９と、モータ２を吊り下げるための第２固定具１０を備える。第１固定具９は、第１固定部９ｂおよび第１リング部９ａを有する。第２固定具１０は、第２固定部１０ｂおよび第２リング部１０ａを有する。第１固定部９ｂがポンプケーシング６に固定されることにより、第１リング部９ａはポンプケーシング６に接続され、第２固定部１０ｂがモータフレーム３に固定されることにより、第２リング部１０ａはモータフレーム３に接続される。
【００３１】
端子カバー１１とファンカバー１２との間の部分には取付け部３ｂが設けられ、モータフレーム３の一部分である取付け部３ｂに第２固定部１０ｂが固定される。
【００３２】
図４に示すように、ポンプケーシング６は、吸込口６ａ、吐出口６ｂ、吸込み水路部６ｃ、気液分離部６ｅ、呼び水口６ｆを備え、ケーシングカバー７と共にインペラ収納部６ｄを形成してインペラ５の周囲に水路を形成する。
【００３３】
吸込口６ａには吸込み側の配管を接続するためのジョイント８を備える。
【００３４】
呼び水口６ｆは、プリミングプラグ１３で塞がれ運転中の水漏れを防ぐ。
【００３５】
例えば、図５に示すように、吸込み配管３１の下端を水面３０の下まで伸ばす。電動ポンプ１は、ジョイント８を介して吸込み配管３１と接続し、水を吸い上げる。
【００３６】
吐出口６ｂに吐出配管３２を接続し、電動ポンプ１により、地上まで送水する。
【００３７】
図４に示すように、吸込口６ａから吸込まれた水は水流２７のように吸込み水路部６ｃで形成された吸込み水路室２４を通って、インペラ収納部６ｄで形成されたインペラ収納空間２５でインペラ５により加速され、気液分離部６ｅで形成された気液分離室２６内を通って吐出口６ｂより吐出される。
【００３８】
ポンプケーシング６の気液分離部６ｅの外壁に第１固定部９ｂが固定される。
【００３９】
第１固定具９の位置は回転軸４の鉛直上にあり、第１リング部９ａはリング上部がポンプケーシング６より上に位置してもよい。この場合、図５に示すように第１リング部９ａに通した吊り下げロープ２９がポンプケーシング６に干渉しにくい配置にすることができる。
【００４０】
第２固定具１０の位置は回転軸４の鉛直上にあり、第２リング部１０ａは第１リング部９ａと同じ高さに位置してもよい。この場合、図５に示すように第１リング部９ａに通した吊り下げロープ２９を第２リング部１０ａに通した際、回転軸４が水平になりやすい配置とすることができる。
【００４１】
このように、電動ポンプ１を地上の水平面に設置した場合と同程度の姿勢で井戸２８の中に吊るすことができる。このため、自吸機能等について、電動ポンプ１は、地上設置の他の電動ポンプと同等の能力を確保できる。すなわち、電動ポンプ１は、見かけ上、水面からの液体の吸上げ可能高さ（自吸可能深さ）を増やすことが可能となる。
【００４２】
以下、各実施形態について補足する。
【００４３】
本実施形態に係る電動ポンプ１は、ステータ１４、モータフレーム３および回転軸４を有するモータ２と、回転軸４に接続されたインペラ５と、インペラ５を収納するポンプケーシング６と、ポンプケーシング６を吊り下げるための第１固定具９と、モータ２を吊り下げるための第２固定具１０とを備え、モータフレーム３はステータ１４を収納し、第１固定具９は、第１固定部９ｂおよび第１リング部９ａを有し、第２固定具１０は、第２固定部１０ｂおよび第２リング部１０ａを有し、第１固定部９ｂがポンプケーシング６に固定されることにより、第１リング部９ａはポンプケーシング６に接続され、第２固定部１０ｂがモータフレーム３に固定されることにより、第２リング部１０ａはモータフレーム３に接続されるという構成を有する。
【００４４】
この構成によれば、吊り下げロープ２９等を第１リング部９ａおよび第２リング部１０ａに通すことで、吊り下げロープ２９等を介して電動ポンプ１を井戸２８の中の水面３０の上方に設置することができる。このため、電動ポンプ１と水面３０との距離を近づけることができる。この結果、井戸２８内部の水面３０の高さが変化しても、確実に吸上げができる位置に電動ポンプ１を設置することが可能となる。従って、複雑な構造にしなくても、所定の深さ（例えば深さ９ｍ前後）で水面３０が変化する井戸２８等に使用可能な電動ポンプ１を得ることができる。
【００４５】
また、ポンプケーシング６は、吸込口６ａ、吸込み水路部６ｃ、インペラ収納部６ｄ、気液分離部６ｅおよび吐出口６ｂを含み、インペラ５が回転することにより、吸込口６ａから吸い込まれた液体は、吸込み水路室２４、インペラ収納空間２５、気液分離室２６を順に通過した後に吐出口６ｂから吐き出され、吸込み水路部６ｃは、吸込み水路室２４を形成し、インペラ収納部６ｄは、インペラ５が収納されるインペラ収納空間２５を形成し、気液分離部６ｅは、気液分離室２６を形成し、第１固定部９ｂは、気液分離部６ｅの外壁に固定されるという構成にしてもよい。
【００４６】
この構成によれば、電動ポンプ１の重心を考慮して吊り下げることができるので、安定して電動ポンプ１を吊り下げることができる。また、第１固定部９ｂを気液分離部６ｅの外壁に固定することで、第１固定部９ｂの第１リング部９ａをポンプケーシング６の上方に出すことも可能となる。このため、電動ポンプ１を吊り下げ易くできるので、井戸の中へ電動ポンプ１を設置する作業性が良くなる。
【００４７】
また、第２固定部１０ｂは、モータフレーム３の上部に固定されるという構成にしてもよい。
【００４８】
この構成によれば、電動ポンプ１の重心を考慮して吊り下げることができるので、さらに安定して電動ポンプ１を吊り下げることができる。
【００４９】
また、第１リング部９ａおよび第２リング部１０ａは、回転軸４を通る鉛直平面上に配置されるという構成にしてもよい。
【００５０】
この構成によれば、電動ポンプ１の重心を考慮して吊り下げることができるので、さらに安定して電動ポンプ１を吊り下げることができる。
【００５１】
また、第１リング部９ａと回転軸４との距離は、第２リング部１０ａと回転軸４との距離と同じであるという構成にしてもよい。
【００５２】
この構成によれば、電動ポンプ１の重心を考慮して吊り下げることができるので、さらに安定して電動ポンプ１を吊り下げることができる。
【００５３】
また、モータ２の上方に設けられたコンデンサ２３と、コンデンサ２３を覆う端子カバー１１とを備え、第１リング部９ａの上部は、ポンプケーシング６の最上部よりも上、且つ、端子カバー１１の最上部よりも上に配置され、第２リング部１０ａの上部は、端子カバー１１の最上部よりも上に配置されるという構成にしてもよい。
【００５４】
この構成によれば、第１リング部９ａおよび第２リング部１０ａに通した吊り下げロープ２９を介して電動ポンプ１を設置する場合などに、吊り下げロープ２９等がポンプケーシング６または端子カバー１１等と干渉することを抑制できる。このため、井戸２８の中の水面３０の上方に設置しやすい電動ポンプ１を得ることができる。
【００５５】
また、電動ポンプは自吸能力を有する自吸式電動ポンプという構成にしてもよい。
【００５６】
以上、本発明に係る電動ポンプについて、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００５７】
本発明に係る電動ポンプは、所定の深さで水面が変化する井戸に使用される電動ポンプ等として有用である。
【符号の説明】
【００５８】
１    電動ポンプ
２    モータ
３    モータフレーム
３ａ    固定脚
３ｂ    取付け部
４    回転軸
５    インペラ
６    ポンプケーシング
６ａ    吸込口
６ｂ    吐出口
６ｃ    吸込み水路部
６ｄ    インペラ収納部
６ｅ    気液分離部
６ｆ    呼び水口
７    ケーシングカバー
８    ジョイント
９    第１固定具
９ａ    第１リング部
９ｂ    第１固定部
１０    第２固定具
１０ａ    第２リング部
１０ｂ    第２固定部
１１    端子カバー
１２    ファンカバー
１３    プリミングプラグ
１４    ステータ
１５    ステータパック
１６    コイル
１７    ロータ
１８    ロータパック
１９    軸受
２２    冷却ファン
２３    コンデンサ
２４    吸込み水路室
２５    インペラ収納空間
２６    気液分離室
２７    水流
２８    井戸
２９    吊り下げロープ
３０    水面
３１    吸込み配管
３２    吐出配管
【図１】
2019163715.tif 000003
【図２】
2019163715.tif 000004
【図３】
2019163715.tif 000005
【図４】
2019163715.tif 000006
【図５】
2019163715.tif 000007
【図６】
2019163715.tif 000008
【図７】
2019163715.tif 000009